(57)【要約】【課題】供給水素流量を増大させなくても、ジェットポンプの高い循環性が得られる燃料電池システムを提供する。【解決手段】加湿手段５は、循環路７から供給される高湿度ガスであるアノードオフガスと調圧弁３から供給される乾燥水素ガスとの間で湿度交換を行い、乾燥水素ガスに加湿する。加湿により密度が上昇して重くなった水素ガスは、ジェットポンプ６の駆動流として供給される。加湿手段５で水蒸気成分が減少したアノードオフガスは、循環ポンプ８によりジェットポンプ６の吸込口に供給される。ジェットポンプ６は、加湿されて重くなった駆動流を用いて、水蒸気成分が減少して軽くなったアノードオフガスである吸い込み流を吸い込み、両者の混合流を燃料電池１のアノード１ａへ供給する。【選択図】    図１
2007242522.tif 000002
【特許請求の範囲】
【請求項１】
燃料ガスと酸化剤ガスとの電気化学反応により発電する燃料電池と、
該燃料電池へ新規に供給する燃料ガスを駆動流として、該燃料電池の燃料極から排出されるアノードオフガスを吸引するとともに、新規供給燃料ガスとアノードオフガスとを混合した混合ガスを該燃料電池へ供給するジェットポンプと、
該ジェットポンプの駆動流のガス密度を高める駆動流密度上昇手段と、
を備えたことを特徴とする燃料電池システム。
【請求項２】
燃料ガスとして水素ガスを高圧で貯蔵する高圧水素タンクと、
該高圧水素タンクから供給される水素ガスの圧力を調整する調圧弁と、
を備え、
前記駆動流密度上昇手段は、前記調圧弁と前記ジェットポンプとの間に配設された加湿手段であることを特徴とする請求項１に記載の燃料電池システム。
【請求項３】
前記加湿手段は、水タンク中へ水素ガスを吹き込んで加湿する加湿手段であることを特徴とする請求項２に記載の燃料電池システム。
【請求項４】
前記加湿手段は、高湿度ガスと前記調圧弁から供給される水素ガスとの水蒸気交換を行う水蒸気交換膜を備えたことを特徴とする請求項２に記載の燃料電池システム。
【請求項５】
前記高湿度ガスは、燃料電池の燃料極から排出されるアノードオフガスであることを特徴とする請求項４に記載の燃料電池システム。
【請求項６】
アノードオフガスを循環させる水素循環ポンプを備え、
該水素循環ポンプの出口から前記加湿手段へアノードオフガスを導入し、加湿手段から排出されたアノードオフガスを水素循環ポンプ入口へ戻すことを特徴とする請求項５に記載の燃料電池システム。
【請求項７】
前記高湿度ガスは、燃料電池の酸化剤極から排出されるカソードオフガスであることを特徴とする請求項４に記載の燃料電池システム。
【請求項８】
前記高湿度ガスは、アノードパージガスまたは前記ジェットポンプ出口ガスであることを特徴とする請求項４に記載の燃料電池システム。
【請求項９】
前記ジェットポンプの駆動流を絞るオリフィスの手前を加熱することを特徴とする請求項１乃至請求項８の何れか１項に記載の燃料電池システム。
【請求項１０】
前記駆動流密度上昇手段は、前記ジェットポンプの駆動流に不活性ガスを混入させる手段であることを特徴とする請求項１に記載の燃料電池システム。
【請求項１１】
前記ジェットポンプは、可変絞り型のジェットポンプであり、
前記駆動流密度上昇手段は、前記ジェットポンプの駆動流として供給するガス圧力を高めることで、駆動流の密度を上昇させる手段であり、
前記駆動流の圧力を高めた分に応じて、前記ジェットポンプの可変絞りの開度を絞ることを特徴とする請求項１に記載の燃料電池システム。
【発明の詳細な説明】
【技術分野】
【０００１】
本発明は、ジェットポンプを使用してアノードオフガスと新規供給燃料ガスとを混合する燃料電池システムに関する。
【背景技術】
【０００２】
燃料電池システムにおいて、燃料電池本体の電解質端部まで燃料ガスの供給量を確保するために、発電に必要な流量より多くの燃料ガスを供給し、排出された未反応燃料ガス（循環ガス）を再度燃料電池に供給するためにエゼクタ等のジェットポンプを備えたものがある。
【０００３】
また、固体高分子型燃料電池では、アノードにおける水素の電離を促進するため、或いは高分子電解質膜の水素イオン伝導性を発揮させるために、ジェットポンプ下流で水素を加湿するものがある（例えば、特許文献１）。
【特許文献１】特開２００４−１７１８１６号公報（第４頁、図３）
【発明の開示】
【発明が解決しようとする課題】
【０００４】
しかしながら、従来の燃料電池システムでは、新規に供給される水素をジェットポンプのオリフィスなどに噴射して発生させた負圧により循環ガスの引き込みを行っているが、最も軽いガスである水素（分子量２）を駆動流として、主成分である水素に窒素（分子量２８）や水蒸気（分子量１８）などを含む比較的重い循環ガスを引き込むので、負圧を発生させる能力は限定され高い循環性能を発揮できないという問題点があった。
【０００５】
つまり、駆動流のエネルギー源は水素ガスの圧力エネルギーであるが質量の小さい水素に対しては与えることのできる運動量・運動エネルギーが小さくなってしまう。供給水素の流量自体を増大させることでジェットポンプ性能を向上させることはできるが、システムによって定格運転条件における水素供給量の上限が決まってしまうことが多く、最大供給水素量によって、ジェットポンプが引き込む循環ガス流量が制限される。
【０００６】
以上の問題点に鑑み、本発明の目的は、供給水素流量を増大させなくても、ジェットポンプの高い循環性が得られる燃料電池システムを提供することである。
【課題を解決するための手段】
【０００７】
上記問題点を解決するために、本発明は、燃料ガスと酸化剤ガスとの電気化学反応により発電する燃料電池と、該燃料電池へ新規に供給する燃料ガスを駆動流として、該燃料電池から排出されるアノードオフガスを吸引するとともに、新規供給燃料ガスとアノードオフガスとを混合した混合ガスを該燃料電池へ供給するジェットポンプと、該ジェットポンプの駆動流のガス密度を高める駆動流密度上昇手段と、を備えたことを要旨とする燃料電池システムである。
【０００８】
本発明においては、駆動流密度上昇手段がジェットポンプの駆動流のガス密度を高めることにより、ジェットポンプに生じる負圧の絶対値が大きくなり、ジェットポンプが循環ガスを吸い込む吸い込み能力が高まる。これによりより多くの循環ガスをジェットポンプに吸い込んで駆動流と混合した混合ガスを燃料電池へ供給することができる。
【０００９】
ジェットポンプの駆動流のガス密度を高める駆動流密度上昇手段としては、駆動流に加湿する加湿手段、駆動流に窒素等の燃料電池に対して不活性ガスなガスを混入させる手段、駆動流の圧力を上昇させるとともに、駆動流の圧力上昇に応じて駆動流の流量を絞ることが可能な可変絞りを有するジェットポンプが含まれる。
【発明の効果】
【００１０】
本発明によれば、ジェットポンプの駆動流のガス密度を高めることにより、駆動流を重くすることができ、ジェットポンプの循環性能が向上するという効果がある。また吸い込み流量を増大させることができるため、循環ガスを循環させるために水素循環ポンプを用いた場合、水素循環ポンプの消費電力を削減し、燃料電池システムの総合的な燃費効率を向上させるという効果がある。また水素循環ポンプの回転数低減効果も見込めるため燃料電池システムの音響振動レベル特性を改善することができるという効果がある。
【発明を実施するための最良の形態】
【００１１】
次に、図面を参照して、本発明の実施の形態を詳細に説明する。尚、以下に説明する各実施例は、特に限定されないが、燃料電池車両の電源として好適な燃料電池システムである。
【実施例１】
【００１２】
図１は、本発明に係る燃料電池システムの実施例１の概略構成を示す構成図である。図１において、燃料電池システムは、アノード（燃料極）１ａとカソード（酸化剤極）１ｂを有する燃料電池１と、燃料ガスである水素ガスを高圧で貯蔵する高圧水素タンク２と、高圧水素タンク２からアノード１ａに至る水素供給路４と、水素供給路４上に配置され高圧水素ガスの圧力を燃料電池１の運転圧力まで低下させて調整する調圧弁３と、調圧弁３の下流に配置され水素を加湿する加湿手段５と、加湿手段５で加湿され重くなった水素を駆動流とするジェットポンプ６と、アノード１ａから排出された高湿度のアノードオフガスを加湿手段５へ供給する循環路７と、加湿手段５から排出されたアノードオフガスをジェットポンプ６の吸い込み流として供給する水素循環ポンプ８と、加湿手段５の下流の循環路７から分岐する排気ライン１０と、排気ライン１０を開閉するパージ弁９とを備えている。
【００１３】
尚、燃料電池システムは、カソード１ｂへ空気を供給する空気系、燃料電池１の運転温度を維持する冷却系、燃料電池１から電力を取り出す電力系の各構成要素を備えているが、本発明としては特徴がないので、図示を省略している。
【００１４】
加湿手段５は、例えば中空糸膜を介して高湿度ガスから低湿度ガスへ水蒸気成分を移動可能な膜タイプの加湿手段である。加湿手段５には、低湿度ガスとして調圧弁３で圧力調整された水素が供給され、高湿度ガスとして循環路７を介してアノードオフガスが供給される。そして、アノードオフガス中の水蒸気が中空糸膜を介して供給水素へ移動することにより供給水素が加湿される。
【００１５】
調圧弁３は、高圧水素タンク２から必要供給量だけアノード１ａに水素を供給するために圧力調整を行う。高圧水素タンク２に貯蔵されている水素は乾燥水素ガスであるので、調圧弁３とジェットポンプ６との間に加湿手段５を設け、ジェットポンプ６の駆動流となる供給水素を加湿する。
【００１６】
ここで、ジェットポンプについて、図９、図１０を参照して説明する。尚、燃料電池システムの用途においては、駆動流は新規に供給される水素であり、吸い込み流は、アノードオフガスであり、混合流は燃料電池のアノードに供給されるガスである。
【００１７】
図９は、ジェットポンプの一種であるエゼクタを説明する模式断面図である。エゼクタ４０は、駆動流１０１を噴出させるノズル４１と、駆動流１０１と吸い込み流１０３とが合流する混合室４３と、駆動流１０１と吸い込み流１０３とが混合するスロート部４４と、駆動流１０１と吸い込み流１０３とが混合した混合流１０４の圧力を回復させるデフューザ部４５と、駆動流供給口４６と、吸込口４７と、出口４８とを備えている。
【００１８】
ノズル４１には、オリフィス（絞り）４２が設けられ、駆動流１０１がオリフィス４２から混合室４３内部へ速度の高い噴流１０２となって噴出される。この速度が高い噴流１０２の周囲には、負圧が形成され、この負圧により吸込口４７から吸い込み流１０３が吸い込まれる。
【００１９】
図１０は、ジェットポンプの一種である増幅ノズルを説明する模式断面図である。増幅ノズル５０は、略円筒形のボディ部５１と、ボディ部５１の軸方向に可動である可動部５２と、ボディ部５１と可動部５２との間の気密を保持するＯリング５３とを備えている。ボディ部５１の内周部に設けられたネジ部５４と、可動部５２の外周部に設けられたネジ部５５とが螺合している。そして、図示しない駆動機構により可動部５２が往復回転駆動されると、ボディ部５１に対して可動部５２が軸方向に前後運動し、この前後運動によりリング状の絞り５９の開度が増減する可変絞りが実現される。
【００２０】
ボディ部５１の円筒の側面には、駆動流１０１を供給するための駆動流供給口５６が設けられ、駆動流供給口５６から駆動流１０１が供給される。駆動流１０１は、絞り５９を経てコアンダ効果により、可動部５２の内面に沿って流れる壁面流６２となる。このためリング状の絞り５９の中央部には、負圧が発生し、吸込口５７から吸い込み流１０３が吸い込まれる。駆動流１０１と吸い込み流１０３とは、スロート部６０で混合されて混合流１０４となり、ディヒューザ部６１で圧力が回復されて出口５８から排出される。
【００２１】
図１に戻って、加湿手段５で加湿された供給水素は、水蒸気分だけ流量が増加し、密度も高まった状態でジェットポンプの絞り（図９、エゼクタ４０のオリフィス４２、図１０、増幅ノズル５０の絞り５９等）から噴出されるため、アノードオフガスと駆動流との混合室において、加湿されないドライの場合よりもより低い負圧（絶対値が大きい）を発生させることで、より大流量のアノードオフガスを引き込み、大流量が引き込まれたことでジェットポンプ出口において回復圧力もドライの場合よりも高めに回復する。これにより、循環流量を増加し、ジェットポンプの揚程を高めることができる。
【００２２】
本発明を適用しない場合には、ドライ水素をジェットポンプの駆動流として、アノードオフガスを吸い込み流とし、ジェットポンプから吐出される両者の混合流を加湿することになるが、本発明では、ジェットポンプ手前において供給水素を加湿しているので、燃料電池の負荷によって一様に決められている供給水素の量を変えることなくジェットポンプの駆動流の密度・流量を水蒸気分だけ増加させることができるため、昇圧、流量引き込み性能を向上させることができる。また、当然であるが同時にスタック反応促進・保護の役割も供給水素に持たせることができる。
【００２３】
飽和水蒸気圧は、温度によって決まるため、同じ温度において雰囲気圧力が高い場合と低い場合とでは、水蒸気分圧として考えた場合、雰囲気圧力が低い方が相対的に水蒸気圧が高い、つまりガス中の水蒸気濃度が高いということになる。このため加湿手段５は、調圧弁３とジェットポンプ６の間に配置する方が、より多くの水蒸気量を供給水素に含ませることができる。
【００２４】
しかし、調圧弁３の上流において高圧水素タンク２からの供給水素を加湿したとしてもジェットポンプを通過した後に加湿した場合よりは、大きな昇圧・流量引き込み性能を実現できることは言うまでもない。
【００２５】
加湿手段５として膜タイプの加湿器を用いる場合、膜を介して高湿潤ガスと低湿潤ガスとの間で湿度交換させることによって、電力を使用することなく加湿を行うことができる。また加湿した水素をジェットポンプ６の駆動流として使用することで、ジェットポンプ６の循環性能を向上させ、ジェットポンプ６と併用している水素循環ポンプ８の消費電力を削減したり、水素循環ポンプの小型化、或いは水素循環ポンプを必要としないシステムを構築することができるという効果がある。
【００２６】
次に、ジェットポンプの駆動流として供給するガス圧力を高めることで、駆動流の密度を上昇させる駆動流密度上昇手段について説明する。この駆動流密度上昇手段は、駆動流の圧力を高めた分に応じて、ジェットポンプの可変絞りの開度を絞るために、実施例１において図１０を参照して説明した増幅ノズルをジェットポンプとして使用する。
【００２７】
燃料電池の発電量の定格条件において、ジェットポンプへ供給する水素がチョーク（水素速度が音速に達する）するようにジェットポンプの絞りの大きさを決めた場合、定格以下の燃料電池発電量においては、水素速度は亜音速（音速以下）の領域に成り、ジェットポンプの性能（流量、揚程）はチョーク時ほどの高い昇圧量・大流量で機能することができなくなる。そこで、ジェットポンプの絞りを可変にし、供給水素圧を高くすることで、供給水素流量（ＮＬ／ｍｉｎ）は変えずに密度だけを高めて噴出させる。
【００２８】
図８の破線のように、各燃料電池負荷において水素供給圧を高めることで同径のノズルであれば水素供給量も増えるが、供給圧が増えたことで増加する水素供給量をジェットポンプの可変絞りにて絞ることで供給圧が増えても水素供給量は変わらずに、ジェットポンプの駆動流（供給水素）のガス密度が高くなる。このため、ジェットポンプの昇圧性能（もしくは流量性能）は、定格負荷以下の運転領域おいても白丸で示した値から黒丸で示した値へ向上するという効果がある。
【実施例２】
【００２９】
図２は、本発明に係る燃料電池システムの実施例２の概略構成を示す構成図である。図２において、燃料電池システムは、アノード（燃料極）１ａとカソード（酸化剤極）１ｂを有する燃料電池１と、燃料ガスである水素ガスを高圧で貯蔵する高圧水素タンク２と、高圧水素タンク２からアノード１ａに至る水素供給路４と、水素供給路４上に配置され高圧水素ガスの圧力を燃料電池１の運転圧力まで低下させて調整する調圧弁３と、調圧弁３の下流に配置され水素を加湿する加湿手段１１と、加湿手段１１で加湿され重くなった水素を駆動流とするジェットポンプ６と、アノード１ａから排出された高湿度のアノードオフガスをジェットポンプの吸い込み流として供給する循環路７と、循環路７内のアノードオフガスを圧送する水素循環ポンプ８とを備えている。
【００３０】
尚、燃料電池システムは、カソード１ｂへ空気を供給する空気系、燃料電池１の運転温度を維持する冷却系、燃料電池１から電力を取り出す電力系の各構成要素を備えているが、本発明としては特徴がないので、図示を省略している。
【００３１】
加湿手段１１は、水を貯蔵する水タンク１２と水タンク１２を加熱する加熱手段１３とを備えている。加湿手段１１は、水タンク１２内の水中へ被加湿ガスである水素ガスを吹き込んで加湿するいわゆるバブラータイプの加湿器である。加熱手段１３は、水タンク１２を加熱することにより、水タンク内部の水温を上昇させ、水蒸気分圧を高める。加熱手段１３としては、図示しない蓄電池から供給される電力で発熱する電気ヒータや、供給される水素の一部を空気中の酸素と反応させて発熱する触媒燃焼器等を用いることができる。
【００３２】
水タンク１２の水は、図示しない凝縮器によりカソード排気中から回収された純水が供給されることが好ましい。これにより加湿用の水供給を必要としない移動体用の燃料電池システムを構成できる。
【００３３】
尚、本実施例においては、加湿手段１１はバブラータイプとしが、バブラータイプ以外に、被加湿ガス中に水蒸気を噴射するスチームインジェクションタイプを用いることも可能である。スチームインジェクションタイプの場合、高温の水を噴射させるだけで供給水素の加湿量を急激に高めることができるため、高い応答性が求められる燃料電池システムにおいては有効である。
【実施例３】
【００３４】
図３は、本発明に係る燃料電池システムの実施例３の概略構成を示す構成図である。図３において、燃料電池システムは、アノード（燃料極）１ａとカソード（酸化剤極）１ｂを有する燃料電池１と、燃料ガスである水素ガスを高圧で貯蔵する高圧水素タンク２と、高圧水素タンク２からアノード１ａに至る水素供給路４と、水素供給路４上に配置され高圧水素ガスの圧力を燃料電池１の運転圧力まで低下させて調整する調圧弁３と、調圧弁３の下流に配置され水素を加湿する加湿手段５と、加湿手段５で加湿され重くなった水素を駆動流とするジェットポンプ６と、アノード１ａから排出された高湿度のアノードオフガスを水素循環ポンプ８を介してジェットポンプ６及び加湿手段５へ供給する循環路７と、
水素循環ポンプ８下流の循環路７から分岐してアノードオフガスの一部を加湿手段５へ供給するアノードオフガス導入路１４と、加湿手段５から排出されたアノードオフガスの流量を調整して循環路７へ戻す可変オリフィス１５とを備えている。
【００３５】
尚、燃料電池システムは、カソード１ｂへ空気を供給する空気系、燃料電池１の運転温度を維持する冷却系、燃料電池１から電力を取り出す電力系の各構成要素を備えているが、本発明としては特徴がないので、図示を省略している。
【００３６】
実施例１ではアノードオフガスをそのまま循環路の一つとして通したが、圧損の発生によって水素循環ポンプ８の消費電力が増加してしまい、ジェットポンプ６のアシスト効果を低減させてしまう悪影響が現れる可能性もある。
【００３７】
そこで本実施例では、水素循環ポンプ６とジェットポンプ吸い込み側入口との間から、水素循環ポンプ８によって圧縮された高温になっているアノードオフガスの一部を加湿手段５へ導入して、供給水素との水蒸気交換を行い、水素循環ポンプ入口まで出て行くようなアノードオフガス導入路１４を設ける。
【００３８】
また燃料電池システムの負荷状態に応じて供給水素の加湿量を可変にしてジェットポンプ６による水素循環ポンプ８へのアシスト量を可変するための可変オリフィス１５を、アノードオフガス経路１４中に設ける。これにより、水素循環ポンプ８から排出されたアノードオフガスの加湿手段５への導入量をコントロールする。なお、可変オリフィス１５は、燃料電池システムの負荷が大きくなるに応じて加湿量が増えるように、また負荷が小さくなるに応じて加湿量が減るように可変オリフィス１５を制御する。
【００３９】
本実施例によれば、アノードオフガスを加湿源として用いるので、ジェットポンプの吸い込み流であるアノードオフガスが軽くなるとともに水蒸気分だけ流量が減少し、駆動流が重くなるとともに水蒸気分だけ流量が増加するため、より高いジェットポンプ性能の向上効果を得ることができる。
【実施例４】
【００４０】
図４は、本発明に係る燃料電池システムの実施例４の概略構成を示す構成図である。図４において、燃料電池システムは、アノード（燃料極）１ａとカソード（酸化剤極）１ｂを有する燃料電池１と、燃料ガスである水素ガスを高圧で貯蔵する高圧水素タンク２と、高圧水素タンク２からアノード１ａに至る水素供給路４と、水素供給路４上に配置され高圧水素ガスの圧力を燃料電池１の運転圧力まで低下させて調整する調圧弁３と、調圧弁３の下流に配置され水素を加湿する加湿手段５と、加湿手段５で加湿され重くなった水素を駆動流とするジェットポンプ６と、アノード１ａから排出された高湿度のアノードオフガスをジェットポンプの吸い込み流として供給する循環路７と、ジェットポンプ６の下流の水素供給路４から分岐してジェットポンプ６による混合流の一部を加湿手段５へ高湿度ガスとして供給するジェットポンプ出口ガス導入路１７と、ジェットポンプ６を加熱するジェットポンプ加熱手段１６とを備えている。
【００４１】
尚、燃料電池システムは、カソード１ｂへ空気を供給する空気系、燃料電池１の運転温度を維持する冷却系、燃料電池１から電力を取り出す電力系の各構成要素を備えているが、本発明としては特徴がないので、図示を省略している。
【００４２】
加湿手段５は、例えば中空糸膜を介して高湿度ガスから低湿度ガスへ水蒸気成分を移動可能な膜タイプの加湿手段である。加湿手段５には、低湿度ガスとして調圧弁３で圧力調整された水素が供給され、高湿度ガスとしてジェットポンプ出口ガス導入路１７を介してジェットポンプ出口ガスが供給される。そして、ジェットポンプ出口ガス中の水蒸気が中空糸膜を介して供給水素へ移動することにより供給水素が加湿される。
【００４３】
実施例１から実施例３では、アノードオフガスの循環装置として水素循環ポンプとジェットポンプを組み合わせたシステムの説明を行ってきたが、水素循環ポンプを備えずジェットポンプのみのシステムでも本発明の適用は当然可能である。
【００４４】
また、ジェットポンプ６における絞り（図９、エゼクタ４０のオリフィス４２、図１０、増幅ノズル５０の絞り５９等）において、供給水素が冷えることで凝縮水が発生し、ジェットポンプの絞り部が詰まることで機能しなくなるといったことを回避するために、ジェットポンプを加熱するための加熱手段１６を設ける。加熱手段１６はなければならないというものではなく、その必要性はシステムによる。ただ図４に示した本実施例だけでなく、すべての実施例において、ジェットポンプを加熱したことで信頼性（オリフィス穴つまり回避）が向上することは言うまでもない。また、ジェットポンプ６により供給水素を暖めると、気体温度が上がるため、さらに循環効率が向上する。なお、加湿手段により供給水素を加熱しても同様である。加熱手段１６は例えば電気ヒータ等で構成し、ジェットポンプに設けた温度センサの検出値により電気ヒータの通電電流を制御して、一定の加熱温度となるように制御する。この加熱温度は、スタックの耐熱や、運転効率を考慮して決定される。
【実施例５】
【００４５】
図５は、本発明に係る燃料電池システムの実施例５の概略構成を示す構成図である。図５において、燃料電池システムは、アノード（燃料極）１ａとカソード（酸化剤極）１ｂを有する燃料電池１と、燃料ガスである水素ガスを高圧で貯蔵する高圧水素タンク２と、高圧水素タンク２からアノード１ａに至る水素供給路４と、水素供給路４上に配置され高圧水素ガスの圧力を燃料電池１の運転圧力まで低下させて調整する調圧弁３と、調圧弁３の下流に配置され水素を加湿する加湿手段５と、加湿手段５で加湿され重くなった水素を駆動流とするジェットポンプ６と、アノード１ａから排出されたアノードオフガスをジェットポンプの吸い込み流として供給する循環路７と、カソード１ｂから排出されるカソードオフガスを加湿手段５へ高湿度ガスとして供給するカソードオフガス導入路１８と、加湿手段５で使用済みのカソードオフガスの圧力を制御する空気調圧弁１９と、空気調圧弁１９からカソードオフガスを排出する空気排出路２０と、ジェットポンプ６を加熱するジェットポンプ加熱手段１６と、を備えている。
【００４６】
尚、燃料電池システムは、カソード１ｂへ空気を供給する空気系、燃料電池１の運転温度を維持する冷却系、燃料電池１から電力を取り出す電力系の各構成要素を備えているが、本発明としては特徴がないので、図示を省略している。
【００４７】
加湿手段５は、例えば中空糸膜を介して高湿度ガスから低湿度ガスへ水蒸気成分を移動可能な膜タイプの加湿手段である。加湿手段５には、低湿度ガスとして調圧弁３で圧力調整された水素が供給され、高湿度ガスとしてカソードオフガス導入路１８を介してカソードオフガスが供給される。そして、カソードオフガス中の水蒸気が中空糸膜を介して供給水素へ移動することにより供給水素が加湿される。加湿手段５から排出されたカソードオフガスは、空気調圧弁１９を経て空気排出路２０から排出される。
【実施例６】
【００４８】
図６は、本発明に係る燃料電池システムの実施例６の概略構成を示す構成図である。図６において、燃料電池システムは、アノード（燃料極）１ａとカソード（酸化剤極）１ｂを有する燃料電池１と、燃料ガスである水素ガスを高圧で貯蔵する高圧水素タンク２と、高圧水素タンク２からアノード１ａに至る水素供給路４と、水素供給路４上に配置され高圧水素ガスの圧力を燃料電池１の運転圧力まで低下させて調整する調圧弁３と、調圧弁３の下流に配置され水素を加湿する加湿手段５と、加湿手段５で加湿され重くなった水素を駆動流とするジェットポンプ６と、アノード１ａから排出されたアノードオフガスをジェットポンプの吸い込み流として供給する循環路７と、アノード１ａから排出されるアノードオフガスをパージするときに加湿手段５へ高湿度ガスとして供給するアノードパージガス導入路２１と、加湿手段５で使用済みのアノードパージガスの放出／放出停止を制御するパージ弁９と、加湿手段５からアノードパージガスを排出する排気ライン１０と、ジェットポンプ６を加熱するジェットポンプ加熱手段１６と、を備えている。
【００４９】
尚、燃料電池システムは、カソード１ｂへ空気を供給する空気系、燃料電池１の運転温度を維持する冷却系、燃料電池１から電力を取り出す電力系の各構成要素を備えているが、本発明としては特徴がないので、図示を省略している。
【００５０】
加湿手段５は、例えば中空糸膜を介して高湿度ガスから低湿度ガスへ水蒸気成分を移動可能な膜タイプの加湿手段である。加湿手段５には、低湿度ガスとして調圧弁３で圧力調整された水素が供給され、高湿度ガスとしてアノードパージガス導入路２１を介してアノードパージガスが供給される。そして、アノードパージガス中の水蒸気が中空糸膜を介して供給水素へ移動することにより供給水素が加湿される。加湿手段５から排出されたアノードパージガスは、パージ弁９を経て排気ライン１０から排出される。
【実施例７】
【００５１】
図７は、本発明に係る燃料電池システムの実施例７の概略構成を示す構成図である。図７において、燃料電池システムは、アノード（燃料極）１ａとカソード（酸化剤極）１ｂを有する燃料電池１と、燃料ガスである水素ガスを高圧で貯蔵する高圧水素タンク２と、高圧水素タンク２からアノード１ａに至る水素供給路４と、水素供給路４上に配置され高圧水素ガスの圧力を燃料電池１の運転圧力まで低下させて調整する調圧弁３と、調圧弁３の下流に配置され水素を加湿する加湿手段５と、加湿手段５で加湿され重くなった水素を駆動流とするジェットポンプ６と、アノード１ａから排出されたアノードオフガスをジェットポンプの吸い込み流として供給する循環路７と、ジェットポンプ６を加熱するジェットポンプ加熱手段１６と、窒素ガスを高圧で貯蔵する高圧窒素タンク３０と、高圧窒素の圧力を水素の調整弁３の下流圧力程度まで減圧して調整する窒素調圧弁３１と、窒素調圧弁３１で圧力調整された窒素ガスを調圧弁３と加湿手段５との間へ合流させる窒素導入路３２と、を備えている。
【００５２】
尚、燃料電池システムは、カソード１ｂへ空気を供給する空気系、燃料電池１の運転温度を維持する冷却系、燃料電池１から電力を取り出す電力系の各構成要素を備えているが、本発明としては特徴がないので、図示を省略している。
【００５３】
加湿手段５は、実施例１で説明した膜タイプの加湿手段、実施例２で説明したバブラータイプ及びスチームインジェクションタイプ等の何れも使用可能である。
【００５４】
本実施例では、高圧窒素タンク３０から供給される窒素をジェットポンプ６と調圧弁３の間に必要に応じて少量混入させることにより駆動流のガス密度を高めることができ、ジェットポンプの循環性能が向上するという効果がある。また吸い込み流量を増大させることができるため、循環ガスを循環させるために水素循環ポンプを用いた場合、水素循環ポンプの消費電力を削減し、燃料電池システムの総合的な燃費効率を向上させるという効果がある。また水素循環ポンプの回転数低減効果も見込めるため燃料電池システムの音響振動レベル特性を改善することができるという効果がある。
【００５５】
尚、窒素を調圧弁３上流に混入させてもよいが、高圧窒素タンク３０の圧力を高くする必要があり、窒素充填時にタンク圧を高めるエネルギーや高圧タンクを搭載することでの安全対策、補機類のコストを抑えるためには調圧弁３下流に混入させる方が比較的低い圧力ですむため低コストである。窒素の必要混入量は、燃料電池の各運転負荷条件を示すパラメータ（スタック発電量、補機類の回転数など）より検知する。またアノード循環系に対して無害であればガス種は窒素に限定する必要はない。なお、窒素ガスの投入量は、負荷が大きくなるに応じて多く、また小さくなる応じて少なくなるように制御する。
【図面の簡単な説明】
【００５６】
【図１】本発明に係る燃料電池システムの実施例１の構成図である。
【図２】本発明に係る燃料電池システムの実施例２の構成図である。
【図３】本発明に係る燃料電池システムの実施例３の構成図である。
【図４】本発明に係る燃料電池システムの実施例４の構成図である。
【図５】本発明に係る燃料電池システムの実施例５の構成図である。
【図６】本発明に係る燃料電池システムの実施例６の構成図である。
【図７】本発明に係る燃料電池システムの実施例７の構成図である。
【図８】燃料電池負荷に対するジェットポンプの昇圧量と水素供給圧力とを示すグラフである。
【図９】エゼクタの構造を説明する模式断面図である。
【図１０】可変絞りを備えた増幅ノズルの構造を説明する模式断面図である。
【符号の説明】
【００５７】
１：燃料電池（１ａ：アノード、１ｂ：カソード）
２：高圧水素タンク
３：調圧弁
４：水素供給路
５：加湿手段
６：ジェットポンプ
７：循環路
８：水素循環ポンプ
９：パージ弁
１０：排気ライン
【図１】
2007242522.tif 000003
【図２】
2007242522.tif 000004
【図３】
2007242522.tif 000005
【図４】
2007242522.tif 000006
【図５】
2007242522.tif 000007
【図６】
2007242522.tif 000008
【図７】
2007242522.tif 000009
【図８】
2007242522.tif 000010
【図９】
2007242522.tif 000011
【図１０】
2007242522.tif 000012